(57)【要約】【課題】他のユーザの情報端末が誤って登録されてしまうことを抑制することができる照明システムを提供する。【解決手段】照明システム１００は、情報端末１０を、照明器具２０を制御する機器として登録するための登録要求を取得する電波通信部２１ａと、ユーザが照明器具２０を制御するためにユーザによって操作される壁スイッチ３０への所定の操作を検出する検出部２２ａと、登録要求が取得され、かつ、壁スイッチ３０への所定の操作が検出されたと判定した場合に、情報端末１０を登録する登録部２２ｂとを備える。【選択図】図２
2018125105.tif 000002
【特許請求の範囲】
【請求項１】
情報端末を、照明器具を制御する機器として登録するための登録要求を取得する取得部と、
ユーザが前記照明器具を制御するために前記ユーザによって操作される操作装置であって、前記情報端末と異なる操作装置への所定の操作を検出する検出部と、
前記登録要求が取得され、かつ、前記操作装置への前記所定の操作が検出されたと判定した場合に、前記情報端末を登録する登録部とを備える
照明システム。
【請求項２】
前記登録部は、前記登録要求が取得された後に、前記操作装置への前記所定の操作が検出されたと判定した場合に、前記情報端末を登録する
請求項１に記載の照明システム。
【請求項３】
前記登録部は、前記登録要求が取得された後の所定期間内に前記操作装置への前記所定の操作が検出されたと判定した場合に、前記情報端末を登録する
請求項１または２に記載の照明システム。
【請求項４】
さらに、前記操作装置への前記所定の操作が検出されたと判定した場合に、第１態様で発光している前記照明器具を前記第１態様と異なる第２態様で発光させる発光制御部を備える
請求項１〜３のいずれか１項に記載の照明システム。
【請求項５】
さらに、前記操作装置への前記所定の操作が前記所定期間内に検出されたか否かによって前記照明器具の発光態様を変更するか否かを切り替える発光制御部を備える
請求項３に記載の照明システム。
【請求項６】
前記発光制御部は、
前記所定期間外に前記操作装置への前記所定の操作が検出されたと判定した場合に、第１態様で発光している前記照明器具を前記第１態様と異なる第２態様で発光させ、
前記所定期間内に前記操作装置への前記所定の操作が検出されたと判定した場合に、前記第１態様で発光している前記照明器具をそのまま前記第１態様で発光させる
請求項５に記載の照明システム。
【請求項７】
前記発光制御部は、
前記所定期間内に前記操作装置への前記所定の操作が検出されたと判定した場合に、第１態様で発光している前記照明器具を前記第１態様と異なる第２態様で発光させ、
前記所定期間外に前記操作装置への前記所定の操作が検出されたと判定した場合に、前記第１態様で発光している前記照明器具をそのまま前記第１態様で発光させる
請求項５に記載の照明システム。
【請求項８】
前記登録部は、前記操作装置への前記所定の操作が検出された後に、前記登録要求が取得されたと判定した場合に、前記情報端末を登録する
請求項１に記載の照明システム。
【請求項９】
前記操作装置は、前記ユーザの操作に応じて前記照明器具への電力供給をオンまたはオフする壁スイッチである
請求項１〜８のいずれか１項に記載の照明システム。
【請求項１０】
前記操作装置は、前記ユーザの操作に応じて前記照明器具へ赤外線通信によって制御信号を送信するリモートコントローラである
請求項１〜８のいずれか１項に記載の照明システム。
【発明の詳細な説明】
【技術分野】
【０００１】
本発明は、スマートフォンなどの情報端末によって照明器具の制御が可能な照明システムに関する。
【背景技術】
【０００２】
電子機器をリモートコントローラによって遠隔操作する技術が知られている。特許文献１には、リモートコントローラと電子機器とを確実にペアリング設定することが可能な遠隔操作システムが開示されている。
【先行技術文献】
【特許文献】
【０００３】
【特許文献１】特開２００８−２６３３０８号公報
【発明の概要】
【発明が解決しようとする課題】
【０００４】
例えば、スマートフォンなどの情報端末を照明器具のリモートコントローラとして使用するためには、情報端末と照明器具とをペアリング（紐づけ）する登録処理が事前に行われる必要がある。このような登録処理の課題は、ユーザの意図していない情報端末（例えば、他のユーザの情報端末）が誤って登録されてしまうことを抑制することである。
【０００５】
本発明は、他のユーザの情報端末が誤って登録されてしまうことを抑制することができる照明システムを提供する。
【課題を解決するための手段】
【０００６】
本発明の一態様に係る照明システムは、情報端末を、照明器具を制御する機器として登録するための登録要求を取得する取得部と、ユーザが前記照明器具を制御するために前記ユーザによって操作される操作装置であって、前記情報端末と異なる操作装置への所定の操作を検出する検出部と、前記登録要求が取得され、かつ、前記操作装置への前記所定の操作が検出されたと判定した場合に、前記情報端末を登録する登録部とを備える。
【発明の効果】
【０００７】
本発明の照明システムは、他のユーザの情報端末が誤って登録されてしまうこと抑制することができる。
【図面の簡単な説明】
【０００８】
【図１】図１は、実施の形態に係る照明システムを構成する機器の外観図である。
【図２】図２は、実施の形態に係る照明システムの機能構成を示すブロック図である。
【図３】図３は、実施の形態に係る照明システムの動作例１のシーケンス図である。
【図４】図４は、第１の切り替え動作のフローチャートである。
【図５】図５は、第２の切り替え動作のフローチャートである。
【図６】図６は、実施の形態に係る照明システムの動作例２のシーケンス図である。
【図７】図７は、実施の形態に係る照明システムの動作例３のシーケンス図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［照明システムの全体構成］
まず、実施の形態に係る照明システムの全体構成について説明する。図１は、実施の形態に係る照明システムを構成する機器の外観図である。図２は、実施の形態に係る照明システムの機能構成を示すブロック図である。
【００１２】
図１及び図２に示されるように、実施の形態に係る照明システム１００は、情報端末１０と、照明器具２０と、壁スイッチ３０と、リモートコントローラ４０とを備える。照明システム１００は、照明器具２０を２つ以上備えてもよい。なお、図２では、電力系統５０も図示されている。
【００１３】
照明システム１００においては、情報端末１０を照明器具２０に登録することにより、ユーザは、情報端末１０を通じて照明器具２０を制御することができる。ここで、照明システム１００のユーザ以外の他のユーザの情報端末が誤って照明器具２０に登録されてしまわないように、照明システム１００においては、照明器具２０が照明する室内に配置された操作装置への操作が登録要件とされている。操作装置は、具体的には、壁スイッチ３０、または、照明器具２０専用のリモートコントローラ４０である。以下、図２を参照しながら各装置について詳細に説明する。
【００１４】
［情報端末］
情報端末１０は、照明システム１００において照明器具２０への登録の対象となる装置である。情報端末１０は、具体的には、スマートフォンであるが、タブレット端末などのその他の情報端末であってもよい。情報端末１０は、操作受付部１１と、制御部１２と、電波通信部１３と、記憶部１４とを備える。
【００１５】
操作受付部１１は、情報端末１０の登録を行うためのユーザの操作を受け付けるユーザインタフェースである。操作受付部１１は、具体的には、タッチパネル及び表示部を含むＧＵＩ（Ｇｒａｐｈｉｃａｌ  Ｕｓｅｒ  Ｉｎｔｅｒｆａｃｅ）であるが、ハードウェアキー（ボタン）を含んでもよい。
【００１６】
制御部１２は、情報端末１０における各種制御を行う装置である。制御部１２は、例えば、上記ＧＵＩに用いられる画像を表示部に表示させる。また、制御部１２は、操作受付部１１によって情報端末１０の登録を行うためのユーザの操作が受け付けられると、登録要求を電波通信部１３に送信させる。登録要求は、情報端末１０を、照明器具２０を制御する機器として登録するための情報（信号）である。制御部１２は、具体的には、プロセッサ、マイクロコンピュータ、または専用回路によって実現される。制御部１２は、プロセッサ、マイクロコンピュータ、及び専用回路のうち２つ以上の組み合わせによって実現されてもよい。
【００１７】
電波通信部１３は、照明器具２０の電波通信部２１ａと電波を用いた無線通信を行う通信モジュール（通信回路）である。電波通信部１３は、例えば、制御部１２の制御に基づいて電波通信部２１ａに登録要求を無線送信する。なお、電波を用いた無線通信は、可視光及び赤外線などの光を用いた無線通信とは異なる。
【００１８】
電波通信部１３によって行われる無線通信の規格（プロトコル）としては、ＺｉｇＢｅｅ（登録商標）、Ｂｌｕｅｔｏｏｔｈ（登録商標）、または、無線ＬＡＮ（Ｌｏｃａｌ  Ａｒｅａ  Ｎｅｔｗｏｒｋ）等が例示されるが、無線通信の規格は、特に限定されない。また、無線通信に用いられる電波の周波数帯についても特に限定されない。
【００１９】
記憶部１４は、制御部１２によって実行されるプログラム、及び、情報端末１０自身のＩＤ情報（第２ＩＤ情報）等が記憶される記憶装置である。ＩＤ情報は、例えば、ＳＳＩＤ（Ｓｅｒｖｉｃｅ  Ｓｅｔ  Ｉｄｅｎｔｉｆｉｅｒ）である。記憶部１４は、具体的には、半導体メモリなどによって実現される。記憶部１４は、制御部１２に含まれてもよい。
【００２０】
なお、後述のように、記憶部１４には、照明器具２０のＩＤ情報（第１ＩＤ情報）を記憶するための一時記憶領域及び確定記憶領域の２つの領域が含まれる。これらの２つの領域は、論理的に分けられた領域であってもよいし、物理的に分けられた領域であってもよい。２つの領域が物理的に分けられている場合、一時記憶領域は、例えば、揮発性を有する記憶領域であり、確定記憶領域は、例えば、不揮発性を有する記憶領域である。
【００２１】
［照明器具］
次に、照明器具２０について説明する。照明器具２０は、例えば、白色光を発する室内照明用のシーリングライトである。なお、照明器具２０の具体的構成については特に限定されない。照明器具２０は、長尺状のシーリングライトであってもよいし、ダウンライトまたはスポットライトなどであってもよい。照明器具２０は、電波通信部２１ａと、光通信部２１ｂと、制御部２２と、記憶部２３と、計時部２４と、電力変換部２５と、蓄電部２６と、調光回路２７と、発光部２８とを備える。
【００２２】
電波通信部２１ａは、情報端末１０の電波通信部１３と電波を用いた無線通信を行う通信モジュール（通信回路）である。電波通信部２１ａは、例えば、登録要求を情報端末１０から取得する。つまり、電波通信部２１ａは、取得部の一例である。電波通信部２１ａによって行われる無線通信の規格は、電波通信部１３と同様に、特に限定されない。
【００２３】
光通信部２１ｂは、リモートコントローラ４０から赤外線通信によって送信される制御信号（赤外線）を受信する受光装置である。
【００２４】
制御部２２は、照明器具２０における各種制御を行う装置である。制御部２２は、具体的には、プロセッサ、マイクロコンピュータ、または専用回路によって実現される。制御部２２は、プロセッサ、マイクロコンピュータ、及び専用回路のうち２つ以上の組み合わせによって実現されてもよい。制御部２２は、検出部２２ａと、登録部２２ｂと、発光制御部２２ｃとを有する。検出部２２ａ、登録部２２ｂ、及び、発光制御部２２ｃは、それぞれ個別に、プロセッサ、マイクロコンピュータ、及び専用回路のいずれかによって実現されてもよい。
【００２５】
検出部２２ａは、操作装置への所定の操作を検出する。操作装置は、ユーザが照明器具２０を制御するためにユーザによって操作される装置であり、情報端末１０とは異なる装置である。上述のように、操作装置は、例えば、壁スイッチ３０またはリモートコントローラ４０である。
【００２６】
登録部２２ｂは、情報端末１０の登録に関する処理を行う。登録部２２ｂは、例えば、登録要求が取得された後に、操作装置への所定の操作が検出されたと判定した場合に、情報端末１０を登録する。このように、操作装置への所定の操作を登録の要件とすることにより、他のユーザが所有する情報端末が誤って登録されてしまうことを抑制することができる。
【００２７】
発光制御部２２ｃは、光通信部２１ｂによって受信された制御信号に応じて、調光制御信号を調光回路２７に出力する。これにより、発光部２８は、ユーザのリモートコントローラ４０への操作に応じた態様で発光（または消灯）する。調光制御信号は、例えば、ＰＷＭ（Ｐｕｌｓｅ  Ｗｉｄｔｈ  Ｍｏｄｕｌａｔｉｏｎ）信号であるが、ＰＦＭ（Ｐｕｌｓｅ  Ｆｒｅｑｕｅｎｃｙ  Ｍｏｄｕｌａｔｉｏｎ）信号などであってもよい。
【００２８】
記憶部２３は、制御部２２によって実行されるプログラム、照明器具２０自身のＩＤ情報（第１ＩＤ情報）等が記憶される記憶装置である。ＩＤ情報は、例えば、ＳＳＩＤである。記憶部２３は、具体的には、半導体メモリなどによって実現される。記憶部２３は、制御部２２に含まれてもよい。
【００２９】
なお、後述のように、記憶部２３には、情報端末１０のＩＤ情報（第２ＩＤ情報）を記憶するための一時記憶領域及び確定記憶領域の２つの領域が含まれる。これらの２つの領域は、論理的に分けられた領域であってもよいし、物理的に分けられた領域であってもよい。２つの領域が物理的に分けられている場合、一時記憶領域は、例えば、揮発性を有する記憶領域であり、確定記憶領域は、例えば、不揮発性を有する記憶領域である。
【００３０】
計時部２４は、時間を計測する計時装置であり、計測した時間を制御部２２（登録部２２ｂ）に通知する。計時部２４は、所定期間の計測に用いられる。計時部２４は、具体的には、タイマ回路またはリアルタイムクロックＩＣなどであるが、どのような態様であってもよい。計時部２４は、制御部２２に含まれてもよい。
【００３１】
電力変換部２５は、電力系統５０から供給される交流電力を直流電力に変換して制御部２２及び調光回路２７に出力する。電力変換部２５は、具体的には、例えば、ブリッジ型全波整流回路などを含む電力変換回路である。電力変換部２５は、集積回路などによって実現されてもよく、どのような態様であってもよい。
【００３２】
蓄電部２６は、電力系統５０からの電力供給が途絶えた場合に、制御部２２に電力を供給する予備電源である。蓄電部２６は、例えば、コンデンサによって実現されるが、蓄電池によって実現されてもよい。
【００３３】
調光回路２７は、発光制御部２２ｃによって出力される調光制御信号に応じて発光部２８に電力を供給する回路である。調光回路２７は、例えば、調光制御信号によってオン及びオフされるスイッチング素子を含む回路である。
【００３４】
発光部２８は、照明器具２０の光源として機能し、調光回路２７から供給される電力により発光する。発光部２８は、具体的には、基板上に発光素子としてＬＥＤ（Ｌｉｇｈｔ  Ｅｍｉｔｔｉｎｇ  Ｄｉｏｄｅ）素子が実装された発光モジュールである。発光部２８は、基板上にＬＥＤチップが直接実装されたＣＯＢ（Ｃｈｉｐ  Ｏｎ  Ｂｏａｒｄ）型の発光モジュールであってもよいし、基板上に表面実装型のＬＥＤ素子が実装されたＳＭＤ（Ｓｕｒｆａｃｅ  Ｍｏｕｎｔ  Ｄｅｖｉｃｅ）型の発光モジュールであってもよい。表面実装型のＬＥＤ素子とは、樹脂成型されたキャビティの中にＬＥＤチップを実装して当該キャビティ内に蛍光体含有樹脂を封入したパッケージ型のＬＥＤ素子である。
【００３５】
なお、照明器具２０は、互いに発光色が異なる２種類の発光部２８を備え、調色制御に対応していてもよい。この場合、照明器具２０は、色温度が低いほうの発光部２８だけが暗く発光する常夜灯モードに移行することができる。
【００３６】
［壁スイッチ］
次に、壁スイッチ３０について説明する。壁スイッチ３０は、建物の壁面に取り付けられ、ユーザの操作に応じて電力系統５０から照明器具２０への電力供給をオンまたはオフする。つまり、壁スイッチ３０は、ユーザが照明器具２０の点灯または消灯を切り替えるためのスイッチである。壁スイッチ３０は、操作装置の一例である。
【００３７】
壁スイッチ３０が備える操作受付部３１は、具体的には、壁スイッチ３０のボタン部分であり、ユーザの操作を受け付ける。壁スイッチ３０には、汎用のどのようなスイッチが用いられてもよい。
【００３８】
［リモートコントローラ］
次に、リモートコントローラ４０について説明する。リモートコントローラ４０は、照明器具２０を制御するためにユーザによって操作される専用装置である。リモートコントローラ４０は、ユーザの操作に応じて照明器具２０へ赤外線通信によって制御信号を送信する。リモートコントローラ４０は、操作装置の一例である。リモートコントローラ４０は、操作受付部４１と、制御部４２と、光通信部４３と、記憶部４４とを備える。
【００３９】
操作受付部４１は、照明器具２０の点灯操作、照明器具２０の消灯操作、及び、照明器具２０の調光操作等を受け付けるユーザインタフェースである。操作受付部４１は、具体的には、ハードウェアキー（ボタン）によって実現されるが、タッチパネル及び表示部を含むＧＵＩによって実現されてもよい。
【００４０】
制御部４２は、リモートコントローラ４０における各種制御を行う装置である。制御部４２は、操作受付部４１によって照明器具２０を制御するためのユーザの操作が受け付けられると、操作に応じた制御信号を光通信部４３に送信させる。制御部４２は、具体的には、プロセッサ、マイクロコンピュータ、または専用回路によって実現される。制御部４２は、プロセッサ、マイクロコンピュータ、及び専用回路のうち２つ以上の組み合わせによって実現されてもよい。
【００４１】
光通信部４３は、照明器具２０の光通信部２１ｂと光を用いた無線通信を行う。光通信部４３は、例えば、制御部４２の制御に基づいて光通信部２１ｂに制御信号を無線送信する。なお、光を用いた無線通信は、電波を用いた無線通信とは異なる。光通信部４３によって行われる無線通信は、具体的には、所定の通信規格に準拠した赤外線通信である。
【００４２】
記憶部４４は、制御部４２によって実行されるプログラム等が記憶される記憶装置である。記憶部４４は、具体的には、半導体メモリなどによって実現される。記憶部４４は、制御部４２に含まれてもよい。
【００４３】
［動作例１］
次に、照明システム１００の動作例１について説明する。照明システム１００においては、発光部２８は、ユーザが壁スイッチ３０の操作受付部３１に対して所定の操作を行うことにより、発光態様が第１態様から第２態様に変わる機能を有している。ここで、第１態様は、例えば、発光部２８が１００％の明るさで発光する態様であり、第２態様は、例えば、発光部２８が７０％の明るさで発光する態様、または、発光部２８が常夜灯モードで発光している態様である。
【００４４】
この場合の所定の操作は、オン状態の壁スイッチ３０を素早くオフ及びオンするワンツースイッチ操作である。ワンツースイッチ操作によれば、例えば、１秒以下の短時間（１秒以下の所定時間）、電力変換部２５への電力供給がオフされる。動作例１は、このようなワンツースイッチ操作を情報端末１０の登録の要件とする動作例である。図３は、照明システム１００の動作例１のシーケンス図である。図３に示されるシーケンス図に示される各ステップは、情報端末１０及び照明器具２０が電源オンされた状態で実行される。
【００４５】
まず、照明器具２０の発光制御部２２ｃは、調光制御信号を調光回路２７に出力することにより、発光部２８を第１態様で発光させる（Ｓ１１）。
【００４６】
一方、ユーザは、情報端末１０の操作受付部１１に対して登録操作を行い、操作受付部１１は登録操作を受け付ける（Ｓ１２）。制御部１２は、登録操作に応じて、電波通信部１３に登録要求をマルチキャスト送信させる（Ｓ１３）。登録要求は、宛先を指定せずに送信される。
【００４７】
照明器具２０の電波通信部２１ａは、電波通信部１３から登録要求を取得する（Ｓ１４）。登録部２２ｂは、記憶部２３に記憶された照明器具２０の第１ＩＤ情報を含む第１情報を生成し、生成した第１情報を電波通信部２１ａに送信させる（Ｓ１５）。第１情報は、登録要求に対する応答である。
【００４８】
情報端末１０の電波通信部１３によって第１情報が受信されると（Ｓ１６）、制御部１２は、受信された第１情報に含まれる照明器具２０の第１ＩＤ情報を記憶部１４に一時的に記憶する（Ｓ１７）。制御部１２は、例えば、第１ＩＤ情報を記憶部１４内の一時記憶領域に記憶する。次に、制御部１２は、記憶部１４に記憶された情報端末１０の第２ＩＤ情報を含む第２情報を生成し、生成した第２情報を電波通信部１３に送信させる（Ｓ１８）。第２情報は、記憶部１４に記憶された第１ＩＤ情報に基づいて、照明器具２０宛に送信される。
【００４９】
照明器具２０の電波通信部２１ａによって第２情報が受信されると（Ｓ１９）、登録部２２ｂは、受信された第２情報に含まれる情報端末１０の第２ＩＤ情報を記憶部２３に一時的に記憶する（Ｓ２０）。登録部２２ｂは、例えば、第２ＩＤ情報を記憶部２３内の一時記憶領域に記憶する。この状態は、言い換えれば、仮登録状態である。そして、登録部２２ｂは、計時部２４を用いて所定期間の計測を開始する。所定期間は、例えば、１分程度の期間であるが、特に限定されない。なお、第２ＩＤ情報と同じＩＤ情報が既に記憶部２３に記憶されている場合には、登録部２２ｂは、第２情報を無効にする（破棄する）。
【００５０】
ここで、ユーザが所定期間の満了前に壁スイッチ３０の操作受付部３１に所定の操作（ワンツースイッチ操作）を行うと、操作受付部３１は、所定の操作を受け付ける（Ｓ２１）。壁スイッチ３０に所定の操作が行われると、照明器具２０の電力変換部２５への電力供給が短時間（所定時間）オフされる。検出部２２ａは、このような短時間の電力供給のオフを検出する。つまり、検出部２２ａは、所定の操作を検出する（Ｓ２２）。なお、このとき、検出部２２ａは、蓄電部２６に蓄電された電力を用いて検出を行う。
【００５１】
発光制御部２２ｃは、壁スイッチ３０への所定の操作が検出されたと判定した場合に、第１態様で発光している発光部２８（照明器具２０）を第１態様と異なる第２態様で発光させる（Ｓ２３）。つまり、発光制御部２２ｃは、発光態様を変更する。発光制御部２２ｃは、具体的には、調光回路２７に出力する発光制御信号を変更する。
【００５２】
一方、登録部２２ｂは、登録要求が取得された後の所定期間内に壁スイッチ３０への所定の操作が検出されたと判定した場合に、登録処理を行う（Ｓ２４）。登録部２２ｂは、例えば、第２ＩＤ情報を記憶部２３内の確定記憶領域に記憶することにより第２ＩＤ情報の記憶を確定する。これにより、情報端末１０が照明器具２０に登録される。なお、登録部２２ｂは、壁スイッチ３０への所定の操作が検出されないまま上記所定期間が経過したと判定した場合、登録処理を行わない。この場合、登録部２２ｂは、第２ＩＤ情報を確定記憶領域に記憶せず、一時的に記憶されていた第２ＩＤ情報を無効にする（破棄する）。
【００５３】
次に、登録部２２ｂは、登録完了通知を電波通信部２１ａに送信させる（Ｓ２５）。登録完了通知は、記憶部２３に記憶された第２ＩＤ情報に基づいて、情報端末１０宛てに送信される。
【００５４】
情報端末１０の電波通信部１３によって登録完了通知が受信されると（Ｓ２６）、制御部１２は、第１ＩＤ情報を記憶部１４内の確定記憶領域に記憶することにより、第１ＩＤ情報の記憶を確定する（Ｓ２７）。なお、一定期間内に登録完了通知が受信されなかった場合、制御部１２は、第１ＩＤ情報を確定記憶領域に記憶せず、一時的に記憶されていた第１ＩＤ情報を無効にする（破棄する）。
【００５５】
以上のような動作が行われれば、情報端末１０及び照明器具２０がペアリング（紐付け）される。そうすると、ユーザは、リモートコントローラ４０に加えて情報端末１０を用いて照明器具２０を制御することができる。
【００５６】
以上説明した動作例１においては、登録部２２ｂは、登録要求が取得された後の所定期間内に壁スイッチ３０への所定の操作が検出されたと判定した場合に、情報端末１０を登録する。これにより、壁スイッチ３０への所定の操作が情報端末１０の登録要件となるため、照明器具２０が設置された建物の外部に位置する他のユーザの情報端末が誤って登録されてしまうことが抑制される。
【００５７】
なお、所定の操作は、ワンツースイッチ操作に限定されない。例えば、ワンツースイッチ操作が複数回連続して行われることが登録要件とされてもよい。また、ワンツースイッチとは異なる操作が所定の操作とされてもよい。また、所定期間内に壁スイッチ３０への所定の操作が行われることは必須の登録要件ではない。つまり、所定の操作に関する時間の制限は無くてもよい。
【００５８】
［切り替え動作］
動作例１では、ユーザが壁スイッチ３０に対して所定の操作を行うことにより、照明器具２０の発光態様が変更された。このため、ユーザが発光態様の変更を意図しているか情報端末１０を登録することを意図しているかにかかわらず、壁スイッチ３０に所定の操作が行われると照明器具２０の発光態様が変化する。つまり、ユーザの意図に反して発光態様が変更されてしまう場合がある。
【００５９】
そこで、発光制御部２２ｃは、壁スイッチ３０への所定の操作が情報端末１０の登録に関連して行われたものであるか否かによって、発光部２８（照明器具２０）の発光態様を変更するか否かを切り替えてもよい。発光制御部２２ｃは、具体的には、壁スイッチ３０への所定の操作が上記所定期間内に検出されたか否かによって、発光部２８（照明器具２０）の発光態様を変更するか否かを切り替えてもよい。図４は、このような切り替え動作のフローチャートである。
【００６０】
図４に示されるように、検出部２２ａによって所定の操作が検出されると（Ｓ３１）、発光制御部２２ｃは、所定期間内であるか否かを判定する（Ｓ３２）。発光制御部２２ｃは、具体的には、登録部２２ｂによる計時部２４を用いた所定期間の計測が開始されており、かつ、所定期間が満了していないか否かを判定する。
【００６１】
発光制御部２２ｃは、所定期間外に壁スイッチ３０への所定の操作が検出されたと判定した場合（Ｓ３２でＮｏ）、発光部２８の発光態様を変更する（Ｓ３３）。発光制御部２２ｃは、具体的には、第１態様で発光している発光部２８（照明器具２０）を第１態様と異なる第２態様で発光させる。
【００６２】
一方、発光制御部２２ｃは、所定期間内に壁スイッチ３０への所定の操作が検出されたと判定した場合（Ｓ３２でＹｅｓ）、発光部２８の発光態様を維持する（Ｓ３４）。発光制御部２２ｃは、具体的には、第１態様で発光している発光部２８（照明器具２０）をそのまま第１態様で発光させる。
【００６３】
以上のような切り替え動作によれば、ユーザの意図に反して発光態様が変更されてしまうことが抑制される。
【００６４】
ところで、照明システム１００は、ユーザが壁スイッチ３０に対して所定の操作を行うことにより照明器具２０の発光態様が変更される機能を有しない場合がある。このような場合、所定の操作が適切に行われたことをユーザに認識させるために、登録に関連して所定の操作が行われたときにのみ発光部２８の発光態様が変更されてもよい。図５は、このような場合の切り替え動作のフローチャートである。
【００６５】
図５に示されるように、検出部２２ａによって所定の操作が検出されると（Ｓ３１）、発光制御部２２ｃは、所定期間内であるか否かを判定する（Ｓ３２）。発光制御部２２ｃは、具体的には、登録部２２ｂによる計時部２４を用いた所定期間の計測が開始されており、かつ、所定期間が満了していないか否かを判定する。
【００６６】
発光制御部２２ｃは、所定期間内に壁スイッチ３０への所定の操作が検出されたと判定した場合（Ｓ３２でＹｅｓ）、発光部２８の発光態様を変更する（Ｓ３３）。発光制御部２２ｃは、具体的には、第１態様で発光している発光部２８（照明器具２０）を第１態様と異なる第２態様で発光させる。
【００６７】
一方、発光制御部２２ｃは、所定期間外に壁スイッチ３０への所定の操作が検出されたと判定した場合（Ｓ３２でＮｏ）、発光部２８の発光態様を維持する（Ｓ３４）。発光制御部２２ｃは、具体的には、第１態様で発光している発光部２８（照明器具２０）をそのまま第１態様で発光させる。
【００６８】
以上のような切り替え動作によれば、照明システム１００は、情報端末１０の登録に関連して所定の操作が適切に行われたことを、発光部２８の発光態様の変更によってユーザに認識させることができる。なお、本切り替え動作では、検出部２２ａの機能は、所定期間内のみ有効であってもよい。つまり、検出部２２ａは、所定の操作の検出を常時行わなくてもよい。
【００６９】
なお、図４及び図５に示される切り替え動作は、以下の動作例２と組み合わされてもよい。
【００７０】
［動作例２］
動作例１及び切り替え動作においては、壁スイッチ３０への所定の操作が登録要件とされたが、壁スイッチ３０に代えてリモートコントローラ４０への所定の操作が登録要件とされてもよい。以下、このような動作例２について説明する。図６は、照明システム１００の動作例２のシーケンス図である。なお、以下の動作例２の説明では、動作例１との相違点を中心に説明が行われ、動作例１で既に説明された事項については説明が適宜省略される。
【００７１】
図６に示されるように、動作例２におけるステップＳ１１〜ステップＳ２０までの処理は、動作例１と同様である。
【００７２】
ステップＳ２０において、情報端末１０の第２ＩＤ情報が記憶部２３に一時的に記憶されると、登録部２２ｂは、計時部２４を用いて所定期間の計測を開始する。
【００７３】
ここで、ユーザが所定期間の満了前にリモートコントローラ４０の操作受付部４１に所定の操作を行うと、操作受付部４１は、所定の操作を受け付ける（Ｓ４１）。
【００７４】
所定の操作は、例えば、明るさを５０％以下に落とす操作であるが、特に限定されない。所定の操作は、発光部２８の発光態様を変化させる操作であってもよい。このような操作には、調光操作及び調色操作などが含まれる。なお、調光操作には、点灯および消灯を含む調光操作と、点灯状態で明るさを変更する調光操作とが含まれる。
【００７５】
また、所定の操作は、発光部２８の発光態様を変化させない操作（タイマー設定操作など）であってもよい。また、所定の操作は、操作受付部４１のうち２つ以上のボタンの押下が必要な操作であってもよい。
【００７６】
操作受付部４１によって所定の操作が受け付けられると、制御部４２は、光通信部４３に所定の操作に対応する制御信号を送信させる（Ｓ４２）。制御信号は、赤外線通信によって送信される。
【００７７】
照明器具２０の光通信部２１ｂが制御信号を受信すると（Ｓ４３）、発光制御部２２ｃは、受信された制御信号に応じた調光制御信号を調光回路２７に出力する。これにより、発光部２８は、所定の操作に応じた態様で発光する（Ｓ４４）。なお、所定の操作が、発光部２８の発光態様を変化させない操作である場合には、ステップＳ４４は省略される。
【００７８】
一方、検出部２２ａは、所定の操作に対応する制御信号が受信されたことを検出する。つまり、検出部２２ａは、所定の操作を検出する（Ｓ４５）。すると、登録部２２ｂは、登録処理を行う（Ｓ２４）。以降は、動作例１と同様である。
【００７９】
なお、ステップＳ４５において、検出部２２ａは、発光部２８の発光態様を検出することにより、所定の操作を間接的に検出してもよい。検出部２２ａは、具体的には、受信された制御信号に代えて、発光制御部２２ｃから出力されている調光制御信号を検出することで、発光部２８の発光態様を検出することができる。
【００８０】
以上のような動作が行われれば、情報端末１０及び照明器具２０がペアリング（紐付け）される。そうすると、ユーザは、リモートコントローラ４０に加えて情報端末１０を用いて照明器具２０を制御することができる。
【００８１】
以上説明した動作例２においては、登録部２２ｂは、登録要求が取得された後の所定期間内にリモートコントローラ４０への所定の操作が検出されたと判定した場合に、情報端末１０を登録する。これにより、リモートコントローラ４０への所定の操作が情報端末１０の登録要件となるため、照明器具２０が設置された建物の外部に位置する他のユーザの情報端末が誤って登録されてしまうことが抑制される。
【００８２】
特に、リモートコントローラ４０が赤外線通信によって制御信号を送信する場合には、赤外線が壁などを透過しにくいため、建物の外部に位置するリモートコントローラ４０からの制御信号は、照明器具２０に届きにくい。したがって、照明器具２０が設置された建物の外部に位置する他のユーザが当該他のユーザが所有する情報端末を登録することは難しく、他のユーザの情報端末の誤登録を抑制する効果は高い。
【００８３】
［動作例３］
上記動作例１及び動作例２では、登録部２２ｂは、登録要求が取得された後に、操作装置（壁スイッチ３０またはリモートコントローラ４０）への所定の操作が検出されたと判定した場合に、情報端末１０を登録した。しかしながら、登録部２２ｂは、操作装置への所定の操作が検出された後、登録要求が取得されたと判定した場合に、情報端末１０を登録してもよい。以下、このような動作例３について説明する。図７は、照明システム１００の動作例３のシーケンス図である。なお、以下の動作例３の説明では、動作例１及び２との相違点を中心に説明が行われ、動作例１及び動作例２で既に説明された事項については説明が適宜省略される。
【００８４】
図７に示されるように、動作例３では、ユーザは、まず、リモートコントローラ４０に所定の操作を行う。操作受付部４１によって所定の操作が受け付けられると（Ｓ５１）、制御部４２は、光通信部４３に所定の操作に対応する制御信号を送信させる（Ｓ５２）。制御信号は、赤外線通信によって送信される。なお、動作例３において、リモートコントローラ４０に代えて壁スイッチ３０に所定の操作が行われてもよい。
【００８５】
照明器具２０の光通信部２１ｂが制御信号を受信すると（Ｓ５３）、発光制御部２２ｃは、受信された制御信号に応じた調光制御信号を調光回路２７に出力する。これにより、発光部２８は、所定の操作に応じた態様で発光する（Ｓ５４）。一方、検出部２２ａは、所定の操作に対応する制御信号が受信されたことを検出する。つまり、検出部２２ａは、所定の操作を検出する（Ｓ５５）。
【００８６】
このように、動作例３では、ユーザは、まず、所定の操作を行うことにより、照明器具２０の発光態様を変更する。言い換えれば、動作例３では、照明器具２０が所定の態様で発光していることが登録要件（登録要求が受理される要件）となる。所定の態様は、例えば、全灯状態であってもよいし、消灯状態であってもよいし、調光レベルが０％（消灯状態）よりも大きく１００％（全灯状態）よりも小さい所定状態であってもよい。所定の態様は、特に限定されない。
【００８７】
なお、所定の操作は、例えば、発光部２８の発光態様を変化させる操作であるが、発光部２８の発光態様を変化させない操作であってもよく、この場合は、ステップＳ５４は省略される。所定の操作には、照明器具２０の電源オン及びオフ（単純な点灯及び消灯）を行うための操作が含まれてもよいし、このような操作が含まれなくてもよい。
【００８８】
また、ステップＳ５５において、検出部２２ａは、発光部２８の発光態様を検出することにより、所定の操作を間接的に検出してもよい。検出部２２ａは、具体的には、受信された制御信号に代えて、発光制御部２２ｃから出力されている調光制御信号を検出することにより、発光部２８の発光態様を検出することができる。
【００８９】
ステップＳ５５の後、ユーザは、情報端末１０の操作受付部１１に対して登録操作を行い、操作受付部１１は登録操作を受け付ける（Ｓ１２）。制御部１２は、登録操作に応じて、電波通信部１３に登録要求をマルチキャスト送信させる（Ｓ１３）。登録要求は、宛先を指定せずに送信される。
【００９０】
照明器具２０の電波通信部２１ａは、電波通信部１３から登録要求を取得する（Ｓ１４）。登録部２２ｂは、記憶部２３に記憶された照明器具２０の第１ＩＤ情報（例えば、ＳＳＩＤ）を含む第１情報を生成し、生成した第１情報を電波通信部２１ａに送信させる（Ｓ１５）。第１情報は、登録要求に対する応答である。
【００９１】
なお、発光部２８が所定の操作に応じた態様で発光していないときに登録要求が取得された場合、登録部２２ｂは、第１情報を電波通信部２１ａに送信させない。つまり、照明器具２０は、登録要求に対して応答しない。このとき、登録部２２ｂは、第１情報に代えて、エラー通知を電波通信部２１ａに送信させてもよい。情報端末１０宛てのエラー通知には、例えば、リモートコントローラ４０へ所定の操作を行った後、再度登録操作を行うべきことを示すメッセージが含まれるとよい。
【００９２】
情報端末１０の電波通信部１３によって第１情報が受信されると（Ｓ１６）、制御部１２は、受信された第１情報に含まれる照明器具２０の第１ＩＤ情報を記憶部１４に記憶する（Ｓ５６）。次に、制御部１２は、記憶部１４に記憶された情報端末１０の第２ＩＤ情報を含む第２情報を生成し、生成した第２情報を電波通信部１３に送信させる（Ｓ１８）。第２情報は、記憶部１４に記憶された第１ＩＤ情報に基づいて、照明器具２０宛てに送信される。
【００９３】
照明器具２０の電波通信部２１ａによって第２情報が受信されると（Ｓ１９）、登録部２２ｂは、登録処理を行う（Ｓ２４）。登録部２２ｂは、例えば、第２ＩＤ情報を記憶部２３に記憶する。これにより、情報端末１０が照明器具２０に登録される。最後に、登録部２２ｂは、登録完了通知を電波通信部２１ａに送信させる（Ｓ２５）。登録完了通知は、記憶部２３に記憶された第２ＩＤ情報に基づいて、情報端末１０宛てに送信され、情報端末１０の電波通信部１３によって受信される（Ｓ２６）。
【００９４】
以上のような動作が行われた後には、ユーザは、リモートコントローラ４０に加えて情報端末１０を用いて照明器具２０を制御することができる。
【００９５】
以上説明した動作例３においては、登録部２２ｂは、リモートコントローラ４０への所定の操作が検出された後、登録要求が取得されたと判定した場合に、情報端末１０を登録する。これにより、リモートコントローラ４０への所定の操作が情報端末１０の登録要件となるため、照明器具２０が設置された建物の外部に位置する情報端末が誤って登録されてしまうことが抑制される。
【００９６】
なお、動作例３のステップＳ５５で所定の操作が検出された後、登録部２２ｂは、計時部２４を用いて所定期間の計測を開始し、当該所定期間内に登録要求が取得された場合に情報端末１０を登録してもよい。つまり、登録要求の取得に関する時間の制限があってもよい。
【００９７】
この場合、所定の期間経過後に登録要求が取得された場合、登録部２２ｂは、第１情報を電波通信部２１ａに送信させない。言い換えれば、所定の期間経過後に登録要求が取得された場合、登録部２２ｂは、情報端末１０を登録しない。
【００９８】
このとき、登録部２２ｂは、第１情報に代えて、エラー通知を電波通信部２１ａに送信させてもよい。エラー通知は、情報端末１０宛てに送信される。エラー通知には、例えば、リモートコントローラ４０への所定の操作をやり直すべきことを示すメッセージが含まれるとよい。
【００９９】
［効果等］
以上説明したように、照明システム１００は、情報端末１０を、照明器具２０を制御する機器として登録するための登録要求を取得する電波通信部２１ａと、ユーザが照明器具２０を制御するためにユーザによって操作される操作装置であって、情報端末１０と異なる操作装置への所定の操作を検出する検出部２２ａと、登録要求が取得され、かつ、操作装置への所定の操作が検出されたと判定した場合に、情報端末１０を登録する登録部２２ｂとを備える。電波通信部２１ａは、取得部の一例である。
【０１００】
これにより、操作装置への操作が登録要件となるため、操作装置を操作することができない他のユーザの情報端末が誤って登録されてしまうことが抑制される。
【０１０１】
また、登録部２２ｂは、登録要求が取得された後に、操作装置への所定の操作が検出されたと判定した場合に、情報端末１０を登録してもよい。
【０１０２】
これにより、登録要求が取得された後に操作装置が操作されることが登録要件となるため、操作装置を操作することができない他のユーザの情報端末が誤って登録されてしまうことが抑制される。
【０１０３】
また、登録部２２ｂは、登録要求が取得された後の所定期間内に操作装置への所定の操作が検出されたと判定した場合に、情報端末１０を登録してもよい。
【０１０４】
これにより、所定の操作に関する時間の制限が設けられるため、他のユーザの情報端末が誤って登録されてしまうことが抑制される。
【０１０５】
また、照明システム１００は、さらに、操作装置への所定の操作が検出されたと判定した場合に、第１態様で発光している照明器具２０を第１態様と異なる第２態様で発光させる発光制御部２２ｃを備えてもよい。
【０１０６】
これにより、ユーザは、所定の操作によって照明器具２０（発光部２８）の発光態様を変更することができる。
【０１０７】
また、照明システム１００は、さらに、操作装置への所定の操作が所定期間内に検出されたか否かによって照明器具２０の発光態様を変更するか否かを切り替える発光制御部２２ｃを備えてもよい。
【０１０８】
これにより、照明システム１００は、所定の操作が登録に関連したものであるか否かによって、照明器具２０の発光態様を変更するか否かを切り替えることができる。
【０１０９】
また、発光制御部２２ｃは、所定期間外に操作装置への所定の操作が検出されたと判定した場合に、第１態様で発光している照明器具を第１態様と異なる第２態様で発光させてもよい。発光制御部２２ｃは、所定期間内に操作装置への所定の操作が検出されたと判定した場合に、第１態様で発光している照明器具２０をそのまま第１態様で発光させてもよい。
【０１１０】
これにより、登録に関連して行われた所定の操作によっては、照明器具２０（発光部２８）の発光態様が変更されないため、ユーザの意図に反して発光態様が変更されてしまうことが抑制される。
【０１１１】
また、発光制御部２２ｃは、所定期間内に操作装置への所定の操作が検出されたと判定した場合に、第１態様で発光している照明器具を第１態様と異なる第２態様で発光させてもよい。発光制御部２２ｃは、所定期間外に操作装置への所定の操作が検出されたと判定した場合に、前記第１で発光している照明器具２０をそのまま第１態様で発光させる。
【０１１２】
これにより、照明システム１００は、情報端末１０の登録に関連して所定の操作が適切に行われたことを、発光部２８の発光態様の変更によってユーザに認識させることができる。
【０１１３】
また、登録部２２ｂは、操作装置への所定の操作が検出された後に、登録要求が取得されたと判定した場合に、情報端末１０を登録してもよい。
【０１１４】
これにより、操作装置が操作された後に登録要求が取得されることが登録要件となるため、操作装置を操作することができない他のユーザの情報端末が誤って登録されてしまうことが抑制される。
【０１１５】
また、操作装置は、ユーザの操作に応じて照明器具２０への電力供給をオンまたはオフする壁スイッチ３０であってもよい。
【０１１６】
これにより、壁スイッチ３０への操作が登録要件となるため、壁スイッチ３０を操作することができない他のユーザの情報端末が誤って登録されてしまうことが抑制される。
【０１１７】
また、操作装置は、ユーザの操作に応じて照明器具２０へ赤外線通信によって制御信号を送信するリモートコントローラであってもよい。
【０１１８】
これにより、リモートコントローラ４０への操作が登録要件となるため、リモートコントローラ４０を操作することができない他のユーザの情報端末が誤って登録されてしまうことが抑制される。
【０１１９】
（その他の実施の形態）
以上、実施の形態に係る照明システムについて説明したが、本発明は、上記実施の形態に限定されるものではない。
【０１２０】
上記実施の形態では、照明器具が取得部、検出部、及び登録部を備えたが、これらの構成要素のうちの一部または全部は、他の装置によって備えられてもよい。例えば、照明システムに、情報端末及び照明器具の間に介在する照明制御装置（中継装置）が含まれる場合、照明制御装置が取得部、検出部、及び登録部の一部または全部を備えてもよい。
【０１２１】
また、上記実施の形態では、操作装置は、壁スイッチまたはリモートコントローラであると説明されたが、操作装置は、他の装置であってもよい。例えば、操作装置は、これから登録される情報端末とは別の、既に登録済みの情報端末であってもよい。
【０１２２】
また、１つの情報端末の複数の照明器具への登録が並行して行われてもよい。例えば、情報端末からマルチキャスト送信される登録要求が複数の照明器具によって受信され、複数の照明器具のそれぞれが受信された登録要求に応答することにより、１つの情報端末の複数の照明器具への登録が並行して行われてもよい。
【０１２３】
例えば、上記実施の形態では、発光部には、発光素子としてＬＥＤ素子（ＬＥＤ）が用いられた。しかしながら、発光部には、発光素子として、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子、さらには蛍光ランプが用いられてもよい。
【０１２４】
また、上記実施の形態において、制御部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２５】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１２６】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、照明器具として実現されてもよい。また、本発明は、情報端末の登録方法として実現されてもよい。
【０１２７】
また、上記実施の形態において説明されたシーケンス図及びフローチャートにおける複数の処理の順序は一例である。複数の処理の順序は、変更されてもよいし、複数の処理は、並行して実行されてもよい。
【０１２８】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１２９】
１０  情報端末
１１  操作受付部
２１ａ  電波通信部（取得部）
２０  照明器具
２２ａ  検出部
２２ｂ  登録部
２２ｃ  発光制御部
３０  壁スイッチ（操作装置）
４０  リモートコントローラ（操作装置）
１００  照明システム
【図１】
2018125105.tif 000003
【図２】
2018125105.tif 000004
【図３】
2018125105.tif 000005
【図４】
2018125105.tif 000006
【図５】
2018125105.tif 000007
【図６】
2018125105.tif 000008
【図７】
2018125105.tif 000009